(57)【要約】【課題】電池を輸液ポンプに装填したままで電池に自動的に充電することができ、電池の交換作業を不要にできる輸液ポンプを提供すること。【解決手段】輸液ポンプ１０は、薬液を導入する輸液チューブ２１を有するカセット２０を着脱可能に装着した状態で、薬液を送出するための輸液送り部としてのロータユニット３１と、このロータユニット３１を駆動する電源として繰り返して充電可能な電池Ｂと、ロータユニット３１を駆動するための電源として商用交流電源に接続して交流／直流変換し、電池Ｂに充電可能な電源アダプタ７０と、制御部１００と、カセット２０を装着するとロータユニット３１へ供給する電源をオンするためのオン信号を制御部１００に送り、カセット２０を外すとロータユニット３１へ供給する電源をオフするためのオフ信号を制御部１００に送る電源オンオフ操作部１５０を有する。【選択図】図６
2011194155.tif 000002
【特許請求の範囲】
【請求項１】
輸液チューブを有するカセットを着脱可能に装着した状態で使用する、薬液を送出するための輸液送り部と、
該輸液送り部を駆動するための電源として繰り返して充電可能な電池と、
前記輸液送り部を駆動するための電源として商用交流電源に接続して交流／直流変換し、前記電池に充電可能な電源アダプタと、
前記輸液送り部を駆動するとともに、前記電源と接続された制御部と、
前記カセットを装着すると前記輸液送り部へ供給する前記電源をオンするためのオン信号を前記制御部に送り、前記カセットを外すと前記輸液送り部へ供給する前記電源をオフするためのオフ信号を前記制御部に送る電源オンオフ操作部と
を有することを特徴とする輸液ポンプ。
【請求項２】
前記電源オンオフ操作部は、前記カセットを装着することで移動し前記カセットを外すと逆に移動する突起部材と、前記カセットを装着して前記突起部材を移動することにより前記オン信号を前記制御部に送り、前記カセットを外して前記突起部材を逆に移動することにより前記オフ信号を前記制御部に送るスイッチと、を有することを特徴とする請求項１に記載の輸液ポンプ。
【請求項３】
前記制御部は、前記カセットを外して前記オフ信号が送られてから予め定めた待機時間を経過すると、前記電源を自動的にオフにすることを特徴とする請求項１または２のいずれかに記載の輸液ポンプ。
【請求項４】
前記カセットを着脱可能に収納するカセット収納部を有し、前記電源オンオフ操作部は、前記カセットが前記カセット収納部に対して正常に装着されているかを検出する検出センサを兼ねていることを特徴とする請求項１から３のいずれかに記載の輸液ポンプ。
【発明の詳細な説明】
【技術分野】
【０００１】
本発明は、体内に薬液を注入するための輸液ポンプに係り、詳しくは、輸液チューブを回転ローラに押しつけることにより、該輸液チューブに蠕動様運動を与えて、チューブ内の液体を順次送液する輸液ポンプの改良に関するものである。
【背景技術】
【０００２】
患者に対して、時間当たり薬液を決められた量だけ長時間かけて注入する輸液ポンプは広く使用されている。
このような輸液ポンプのうち、例えば、医療機関だけでなく、在宅でも使用できるようにコンパクトに形成したものが知られている（特許文献１参照）。
特許文献１の輸液ポンプは、外部から導入される薬液を通す可撓性チューブを着脱式のカセットに導く構成とされている。
【０００３】
具体的には、該着脱式のカセットのケース内に可撓性の輸液チューブ（以下、「チューブ」と言う。）を導入し、ケース内でＵ字状に１８０度向きを変えて、該チューブを該ケース外部に導出する構成とされている。そして、このケースから一部露出させた上記チューブに対して、回転ローラを押しつけることにより、該チューブに蠕動様運動を与えて、チューブ内の薬液を順次送り出すようにされている。
【先行技術文献】
【特許文献】
【０００４】
【特許文献１】特開２００１−２１８８４１号公報
【発明の概要】
【発明が解決しようとする課題】
【０００５】
ところで、特許文献１の装置では、回転ローラを回転駆動するモータを備えており、このモータに直流電源を供給するために、乾電池を輸液ポンプに装填して用いている。そして、輸液ポンプによる輸液動作が停止しないようにするために、患者が、毎日乾電池を取り出して新しい乾電池に交換する必要がある。
そして、使用者の手間を省くため、すなわち、新しい電池を入れることにより、機器の電源を自動的にオンし、送液可能とする構成とされていた。
しかし、高齢者のような患者が、このような乾電池の交換作業を毎日行うことは、患者にとっては大きな負担になっている。
【０００６】
また、輸液ポンプは、乾電池による駆動に代えて、商用交流電源に接続して交流を直流に変換する電源アダプタを用いて駆動を行うことも可能であるが、商用交流電源の停電時や、電源アダプタのプラグが建物のコンセントから外れてしまうことがあり、その場合にも輸液ポンプの使用を確保するための内部電源として、輸液ポンプに対して乾電池を挿入することは必須である。
そして、電源アダプタを用いても、電源アダプタを通じては乾電池に対して充電することはできないので、輸液ポンプの輸液動作を停止しないようにして円滑に使用できるようにするために、上述したように毎日、前日に使用した乾電池を新しい乾電池に交換することが必要とされている。
【０００７】
また、従来の輸液ポンプでは、上記したように乾電池を輸液ポンプ内に挿入すると、輸液ポンプの主電源を自動的にオンする構造であるので、実際の送液をしなくても電池をいれただけで主電源がオンされ、消費電力に無駄が生じていた。
したがって、このような電力の無駄を省こうとすると、ケースに電源スイッチを別途設ける等しなければならず、その分使用者に操作の負担がかかる。
【０００８】
本発明は上記課題を解消するためになされたものであり、毎日の電池の交換作業をしなくても、確実に使用することができ、省電力を図ることができる輸液ポンプを提供することを目的とする。
【課題を解決するための手段】
【０００９】
本発明の輸液ポンプは、輸液チューブを有するカセットを着脱可能に装着した状態で使用する、薬液を送出するための輸液送り部と、該輸液送り部を駆動するための電源として繰り返して充電可能な電池と、前記輸液送り部を駆動するための電源として商用交流電源に接続して交流／直流変換し、前記電池に充電可能な電源アダプタと、前記輸液送り部を駆動するとともに、前記電源と接続された制御部と、前記カセットを装着すると前記輸液送り部へ供給する前記電源をオンするためのオン信号を前記制御部に送り、前記カセットを外すと前記輸液送り部へ供給する前記電源をオフするためのオフ信号を前記制御部に送る電源オンオフ操作部とを有することを特徴とする。
【００１０】
上記構成によれば、電池を輸液ポンプに装填したままで電池に自動的に充電することができ、電池の交換作業を不要にできる。すなわち、繰り返して充電可能な電池を輸液ポンプに装填したままで、この電池に対して自動的に充電することができるので、例えば患者や周囲の家族の人が電池の交換作業をする必要がなくなり、輸液ポンプの使用勝手が向上する。
しかも、電源オンオフは、新しく電池を装着することではなく、前記カセットを装着するタイミングで行うようにしたので、常時収納されている前記充電可能な電池の電源は、送液時にだけ使用されるようにすることができ、省電力を図ることができる。
【００１１】
好ましくは、前記電源オンオフ操作部は、前記カセットを装着することで移動し前記カセットを外すと逆に移動する突起部材と、前記カセットを装着して前記突起部材を移動することにより前記オン信号を前記制御部に送り、前記カセットを外して前記突起部材を逆に移動することにより前記オフ信号を前記制御部に送るスイッチと、を有することを特徴とする。
上記構成によれば、突起部材を移動するだけでスイッチを操作でき、簡単な構成でありながら制御部に対して電源のオン信号とオフ信号を供給できる。
【００１２】
好ましくは、前記制御部は、前記カセットを外して前記オフ信号が送られてから予め定めた待機時間を経過すると、前記電源を自動的にオフにすることを特徴とする。
上記構成によれば、例えば輸液チューブがからんだり捩じったりしてカセットを一旦外して再度装着しようとする場合に、電源をオンしたまま維持できるので電源がオフしてしまうのを防ぎ、再度最初からシーケンスを繰り返す必要が無いので、輸液ポンプの使用勝手が向上する。
【００１３】
好ましくは、前記カセットを着脱可能に収納するカセット収納部を有し、前記電源オンオフ操作部は、前記カセットが前記カセット収納部に対して正常に装着されているかを検出する検出センサを兼ねていることを特徴とする。
上記構成によれば、電源オンオフ操作部は、前記カセットがカセット収納部に対して正常に装着されているかを検出できる。
【発明の効果】
【００１４】
本発明によれば、毎日の電池の交換作業をしなくても、確実に使用することができ、省電力を図ることができる輸液ポンプを提供することができる。
【図面の簡単な説明】
【００１５】
【図１】本発明の輸液ポンプの好ましい実施形態を示す概略斜視図である。
【図２】図１の輸液ポンプのカセット収納部のカバーを開いた様子を示す概略正面図である。
【図３】図１の輸液ポンプのカセット収納部のカバーを開いて、カセットを収容する様子を示す概略斜視図である。
【図４】本体の側面部と電源アダプタを示す斜視図である。
【図５】本体の裏面側を示す斜視図である。
【図６】輸液ポンプの電気的な構成を示すブロック図である。
【図７】輸液ポンプの動作例を示すフロー図である。
【発明を実施するための形態】
【００１６】
以下に、本発明の好ましい実施形態を、図面を参照して詳しく説明する。
図１は、本発明の輸液ポンプのカセット収納部のカバー（透明）を閉じた概略斜視図であり、図２はそのカセット収納部のカバーを開いた状態を示す概略正面図、図３は輸液ポンプのカセット収納部のカバーを開き、カセットを収納した状態を示す概略斜視図である。
図１〜図３において、輸液ポンプ１０は、例えば、略矩形の筐体としての本体１１を有している。本体１１は、前筐体４９と後筐体４４を有する。本体１１は、輸液ポンプ１０の構成物のケースであり、好ましくは、耐薬品性、耐衝撃性を有する熱可塑性合成樹脂、例えば、ハイインパクトスチロールやＡＢＳ樹脂等で形成されている。
【００１７】
図１に示すように、本体１１は、本体１１の上面側のほぼ半分程度の面積を閉めるように、開閉可能なカバー１２を有しており、該カバー１２を、ヒンジ１３を中心として回動可能として開閉できるようにされている。このカバー１２は、図示しない付勢手段、例えば、ヒンジ１３の軸周りにトーションコイル等を配設することにより、図２と図３に示すように、常時開方向に付勢されている。カバー１２を閉じて押し込むことにより、本体１１側の図示しないラッチ等に係合されるようになっており、本体１１の側部外縁に突出する解除ボタン１６，１６を、矢印方向に手指にて押し込むことにより、該ラッチ等が解除されるようになっている。
【００１８】
図１の符号１７は開始停止スイッチであり、図１において横方向に「停止―開始」のスライド操作をすることができる。符号１８は液晶表示装置等で形成した表示部であり、運転状態や、後で説明する報知情報等を表示するようになっている。これらの他に、図示しないモード選択スイッチ等を備えることができる。
前筐体４９には、例えば、発光ダイオードランプのような点灯手段による点灯表示部ＬＰが、表示部１８の付近に配置されている。この点灯表示部ＬＰは、例えば点滅することにより警報内容を、例えば患者あるいは周囲の家族の人に目視で報知するようになっている。
また、前筐体４９には、表示部１８の付近にブザー８８とスピーカ８９が配置されている。ブザー８８は警報内容を警報音で報知でき、スピーカ８９は警報内容を音声で報知する機能を有する。
【００１９】
図２と図３に示すように、本体１１からカバー１２を開くと、カセット収納部１５が露出するようになっている。カセット収納部１５は、本体１１の厚みの約半分程度の寸法で形成された空間であり、この空間であるカセット収納部１５には、図３に示すように、輸液チューブ２１を引きこみかつ導出するためのカセット２０を着脱可能にセットすることができるようになっている。
【００２０】
本体１１のカセット収納部１５上には、輸液送り部としてのロータユニット３１と、閉塞検出部８３が配置されている。本体１１のカセット収納部１５内には、駆動部としてのモータＭが配置されている。ロータユニット３１は、モータＭを有しており、ロータユニット３１はこのモータＭの出力軸からの駆動力が、ロータユニット３１に対して図示しないギア等を介して伝達されることにより、ロータユニット３１が軸Ｌを中心にして回転する。
図２に示すように、このロータユニット３１の外周には、例えば、４か所以上の図示例では５つのチューブ押圧部３１Ｒが設けられており、ロータユニット３１のチューブ押圧部３１Ｒが図２の矢印方向に回転することにより、順次チューブ２１を順次押圧して、チューブ２１に対して蠕動様運動を付与することができる。このロータユニット３１は、外部から薬液を導入するための輸液チューブに対して圧接し、該輸液チューブに対して蠕動様運動をさせて、薬液を送出するための輸液送り部の一例である。本実施形態では、蠕動様運動させて薬液を送出しているが、これに限らず、フィンガ方式を用いても良い。このとき、送液される設定流量の範囲は、５〜３００ｍＬ/ｈであり、また輸液ポンプ１０の総重量は、電池を入れた状態で約３２０ｇである。
図１〜図３に示すように、上記閉塞検出部８３は、カセット２０がカセット収納部１５内に収納されたことを検出して、カセット２０のチューブ２１が閉塞されているか否かを検出する。この閉塞検出部８３には、カセット検出用の突起部材９９が設けられている。この突起部材９９は、図１と図２に示す付勢部材１３３の力により、カセット収納部１５内においてＣ方向に沿って突出している。しかし、図３に示すように、カセット２０がカセット収納部１５内に収納された状態では、突起部材９９は、図１と図２に示す付勢部材１３３の力に抗してＤ方向に押されることで、図２に示すスイッチ１３４がオンとなり、このオン信号は図６の制御部１００に通知されるようになっている。
【００２１】
図２に示すように、カセット収納部１５には、このロータユニット３１の付近の上方位置に、第１のスライダ３２と、該第１のスライダ３２に隣接して第２のスライダ３３が配置されている。第１のスライダ３２と第２のスライダ３２はそれぞれ係止片を備えており、これら係止片は、付勢手段により常時矢印Ｃ方向に付勢されている。しかも、第１のスライダ３２と第２のスライダ３２のそれぞれ係止片は、後述するカセット２０がセットされる際に矢印Ｄ方向に移動されて、カセット２０を保持するとともに、該カセット２０に内蔵された可撓性のチューブ２１をロータユニット３１に対して押圧することができる。
図２において、第２のスライダ３３の右方の下側には、カセット２０をカセット収納部１５に配置する際の目印となるマーク３４と、該マーク３４の下方にはカセット２０を装着する際のストッパとして機能する突起部３５が設けられている。
【００２２】
図３を参照して、カセット２０を説明する。
カセット２０は、合成樹脂で形成された図示のような横長のケース体であり、該ケース体の外縁に沿って矢印Ｆ方向から導入され、カセット２０の右端部でほぼＵ字状に曲折され、矢印Ｅ方向に導出されている可撓性チューブ（輸液チューブ）２１を収容するものである。該チューブ２１に対しては、薬液が外部から矢印Ｆ方向に導入され、矢印Ｅ方向に導出され、該矢印Ｅ方向の延長には、留置針などが接続されて患者に輸液されるものである。チューブ２１内の輸液を目視できるように、カバー１２とカセット２０は好ましくは透明部材で作られている。なお、カバー１２には切欠き部１９が設けられており、該切欠き部１９からチューブ２１がカバー１２の外部に導出されるようになっている。
また、カセット２０の下部の一端寄りには露出部２４が形成されており、該露出部２４はケース体の一部を切欠き、チューブ２１の一部を外部に露出させている。このチューブ２１の露出部にロータユニット３１のチューブ押圧部３１Ｒが押圧されることで、上述したように蠕動様運動がチューブ２１に付与されるようになっている。
【００２３】
図３のカセット２０のほぼ中央部には、横に並んで２つの係合用スリット２２，２３が形成されており、これらスリット２２，２３はカセット２０のケース体を貫通している。
スリット２２，２３には、図２で説明した第１のスライダ３２と第２のスライダ３３がそれぞれ入り込むようになっている。そして、図３に示すように、カバー１２を矢印Ａ方向に閉じた際には、ヒンジ１３よりも該カバー１２の内側に設けられた当接部１４がカセット２０を押すことにより、該カセット２０がカセット収納部１５において矢印Ｂ方向に移動される。
このカセット２０の移動により、各係合用スリット２２，２３に入り込んだ第１のスライダ３２と第２のスライダ３３の付勢方向（図２の矢印Ｃ方向）に働く付勢力に抗して、第１のスライダ３２と第２のスライダ３３を矢印Ｄ方向に移動させることができる。これにより、カセット２０はカバー１２を閉止した状態においては、カバー１２の押圧部１４と第１のスライダ３２と第２のスライダ３３に挟まれて固定されるとともに、チューブ２１はロータユニット３１側に押圧されている。
【００２４】
さらに、図３に示すカセット２０には、縦スリット２５ａ及び横スリット２５ｂを有する逆Ｌ字状の規制用スリット２５が形成されている。縦スリット２５ａにはストッパ２６が収容されており、そのストッパ２６の先端の当接部は付勢手段２６ａにより矢印Ｃ方向に常時押圧されており、カセット２０内の図示しない箇所で、チューブ２１の一部を押しつぶして輸液の流れを止めている。横スリット２５ｂには、スライダ２９が配置されている。
図３のように、本体１１のカセット収納部１５内にカセット２０を収納してカバー１２を閉じると、カセット２０の横スリット２５ｂのスライダ２９が、ストッパ２６を付勢手段２６ａの力に抗して矢印Ｄ方向に押し込むことにより、ストッパ２６の先端部はチューブ２１から離れる。これにより、チューブ２１は開放されて輸液の流れ止めは解除でき、チューブ２１には輸液を導入でき、ロータユニット３１のチューブ押圧部３１Ｒの動きにより患者に対して送液できる。
【００２５】
図４は、本体１１の後筐体４４と電源アダプタ７０を示す斜視図である。
電源アダプタ７０は、アダプタプラグ７１と、差し込みプラグ７２と、ケーブル７３，７４と、交流／直流コンバータ７５を有している。本体１１の後筐体４４には、カバー４５を有しており、このカバー４５を開けて、アダプタプラグ７１の電気接続部７７は、本体１１の電気接続用のジャック７８に対して着脱可能に差し込むことで、電気的に接続することができる。アダプタプラグ７１と差し込みプラグ７２は、ケーブル７３，７４と交流／直流コンバータ７５を用いて電気的に接続されている。差し込みプラグ７２は、例えば自宅の１００Ｖの商用交流電源のコンセント４６に対して着脱可能に差し込むことで、１００Ｖの商用交流電源が交流／直流変換されて直流電源を得て、この直流電源が、例えば上述したモータＭや制御部１００に供給されるようになっている。
【００２６】
図５は、本体１１の後筐体４４側を示す斜視図である。図５に示す後筐体４４の端部寄りの位置には、繰り返して充電可能な電池を収容するための電池収容部４１が形成されている。本実施形態では、電池収容部４１は、例えば、２本の繰り返して充電可能な電池Ｂを並列的に並べて収容でき、蓋体４２はヒンジ４２ａを介して開閉することで、２本の電池Ｂを取り出すことができる。繰り返して充電できる電池Ｂは、二次電池であるが、例えばリチウムイオン電池やニッケル水素電池等を採用できるが、特に種類は限定されない。
【００２７】
次に、図６を参照して、上述した輸液ポンプ１０の電気的な構成を説明する。図６は、輸液ポンプ１０の電気的な構成を示すブロック図である。
図６に示すブロック図では、本体１１の前筐体４９と後筐体４４と、カバー１２を示しており、カバー１２側にはカセット２０とこのカセット２０のチューブ２１が配置されている。
図６に示す後筐体４４には、ジャック７８と、電源回路８０と、繰り返して充電可能な電池Ｂと、充電回路２００と、電池残量回路２０１が配置されている。ジャック７８は、電池Ｂと電源回路８０と充電回路２００に対して電気的に接続されている。充電回路２００は電池Ｂの電気的に接続されている。電池残量回路２０１は、充電回路２００と電源回路８０と電池Ｂに対して電気的に接続されている。充電回路２００は制御部１００に電気的に接続されている。電池残量回路２０１は、電池Ｂの電池残量を測定して、制御部１００に通知する。
この電池Ｂは、制御部１００の指令により、ジャック７８に接続された電源アダプタ７０と電源回路８０を通じて、充電回路２００から充電できるようになっている。すなわち、輸液ポンプ１０が電源アダプタ７０を介して図４に示す商用交流電源のコンセント４６に接続されていれば、１００Ｖの商用交流電源を電源アダプタ７０により直流電源に変換して、制御部１００が電池残量回路２０１からの電池残量に基づいて指令することにより、電源回路８０と充電回路２００を通じて電池Ｂに対して充電できるようになっている。
【００２８】
図６に示すように、前筐体４９には、ロータユニット３１と、空液検出部８２と、閉塞検出部８３を備えている。ロータユニット３１は、ギア３１Ｇを介してモータＭに連結されており、モータＭはモータ駆動回路８１からの駆動信号により、ロータユニット３１を連続回転させることができる。回転検出回路８１Ｔは、モータＭの回転状態を検出して制御部１００にモータの回転状態信号を送る。電源回路８０は、モータ駆動区回路１８と制御部１００に電気的に接続されており、モータ駆動区回路１８と制御部１００に対して電源供給を行う。
【００２９】
図６の空液検出部８２と閉塞検出部８３は制御部１００に電気的に接続され、空液検出部８２は、チューブ２１内が薬液により満たされているか気泡が存在するかを検出して、制御部１００に通知する。閉塞検出部８３は、チューブ２１が閉塞されてチューブ２１の直径が大きくなったことを検出して薬液が通過していないことを制御部１００に通知する。
図６には突起部材９９とスイッチ１３４が配置されている。図２と図６に示すように突起部材９９とスイッチ１３４は電源オンオフ操作部１５０を構成しており、すでに図２を参照して説明しているが、カセット２０がカセット収納部１５内に収納された状態では、突起部材９９は、図２に示す付勢部材１３３の力に抗してＺ１方向に押されることで、図６に示すスイッチ１３４がオンとなり、このオン信号は制御部１００に供給されるようになっている。逆に、カセット２０がカセット収納部１５内から外されると、突起部材９９は、図２に示す付勢部材１３３の力によりＺ２方向に押されることで、図に示すスイッチ１３４がオフとなり、このオフ信号は制御部１００に供給されるようになっている。
【００３０】
この電源オンオフ操作部１５０は、カセット２０がカセット収納部１５に対して正常に装着されているかを検出する検出センサを兼ねている。これにより、電源オンオフ操作部１５０は、オンオフ信号を発生して制御部１００に供給するだけではなく、オン信号を制御部１００に供給することで、制御部１００は、カセット２０がカセット収納部１５に対して正常に装着されていると判断するようになっている。
開始停止スイッチ１７は、開始停止検出回路８４に電気的に接続され、開始停止検出回路８４は、開始停止スイッチ１７が、図１に示す開始位置に位置されているか停止位置に位置されているかを検出して、その状態を制御部１００に通知する。制御部１００はＣＰＵ１１０を有しており、メモリ部１１１は、制御部１００のＣＰＵ１１１により処理すべきプログラムが記憶されているＲＯＭ（読み出し専用メモリ）である。
【００３１】
図６の表示部１８は、制御回路１８Ｔに電気的に接続され、点灯表示部ＬＰは、制御回路８５に電気的に接続されている。各制御回路１８Ｔと制御回路８５は制御部１００に電気的に接続され、制御部１００の指令により、制御回路１８Ｔは表示部１８に必要な内容を表示させる。また、制御部１００の指令により、制御回路８５は点灯表示部１８を例えば点滅させて、患者に点滅により警報があることを報知することができる。
ブザー８８は、ブザー回路９０に電気的に接続され、スピーカ８９は、音声回路９１に電気的に接続されている。ブザー回路９０と音声回路９１は、制御部１００に電気的に接続されている。その他に、外部通信回路１０１が制御部１００に電気的に接続されている。
【００３２】
次に、図７を参照して、上述した輸液ポンプ１０の動作について説明する。図７は、輸液ポンプ１０の動作例を示すフロー図である。
患者が輸液ポンプ１０を最初に使用しようとする場合には、図７のステップＳ１から作業を開始する。図５に示すように、例えば患者が２本の充電可能な電池Ｂを電池収容部４１内に収容して、ステップＳ２では、図２に示すようにカバー１２を開けてカセット収納部１５を開放し、図３に示すようにカセット２０をこのカセット収納部１５内に装着する。
ただし、患者が最初に輸液ポンプ１０を使用する場合には、ステップＳ１から始めるが、２回目からの輸液ポンプ１０の使用に際しては、電池Ｂは電池収容部４１に入れたままで、ステップＳ２に示すカセット２０の装着動作から始めればよい。
【００３３】
図７のステップＳ３では、図３と図６に示すように、突起部材９９がカセット２０の装着によりＺ１方向に押されるのでスイッチ１３４がオンする。このため、スイッチ１３４のオン信号が制御部１００に自動的に供給される。これにより、制御部１００は、自動的に主電源をオンするために電源回路８０を動作させることができ、患者が電源の投入を忘れてしまうといったトラブルを防止できる。
図７のステップＳ４では、患者が図３に示す開始停止スイッチ１７をスライドして「停止位置」から「開始位置」にした後に、図７のステップＳ５では、図６の電源回路８０がモータ駆動回路８１に指令を与えてモータＭを駆動することで、図３に示すロータユニット３１が矢印方向に沿って連続回転する。これにより、図２の矢印方向に沿ってロータユニット３１の複数のチューブ押圧部３１Ｒが回転することにより順次チューブ２１を順次押圧して、チューブ２１に対して蠕動様運動を付与する
【００３４】
ステップＳ６では、チューブ２１の閉塞を解除して、チューブ２１による薬液の送液を開始する。ステップＳ７において、チューブ２１による薬液の送液作業が終了したら、ステップＳ８では、患者は図３に示すようにカバー１２を開けてカセット収納部１５を開放して、カセット２０をカセット収納部１５から取り外す。
【００３５】
図７のステップＳ９では、カセット２０が取り外されたことで、図６の突起部材９９がＺ２方向に移動するのでスイッチ１３４は自動的にスイッチオフになり、オフ信号が制御部１００に供給される。制御部１００は、オフ信号が与えられてから、予め定めた待機時間、例えば数分から１０分間経過するのを待つ。そして、ステップＳ１０において、制御部１００はこのあらかじめ定めた待機時間が経過すると、電源回路８０を自動的に電源オフする。これにより、患者が電源オフをすることを忘れてしまうといったトラブルを防ぐことができる。
【００３６】
しかし、ステップＳ１１において、制御部１００が、カセット２０が取り外されてからあらかじめ定めた待機時間が経過するまで自動的に電源オフするのを待つ、言い換えれば電源オンを継続するのは、次の理由からである。すなわち、例えばカセット２０を装着する際にチューブ２１が絡んだり捩じったりしてしまい、患者がカセット２０を一旦カセット収納部１５から取り外してカセット２０を再度カセット収納部１５に装着し直す等の作業を行う場合には、カセット２０が取り外されからすぐに電源がオフされてしまうと、再度カセット２０を装着し直した後に上述した処理シーケンスを最初からやり直す必要が出てくる。このシーケンスをやり直すことは、患者にとって再度の作業の繰り返しが負担になるので好ましくはない。
【００３７】
以上説明したように、本発明の実施形態の輸液ポンプ１０では、図４に示すように本体１１と商用交流電源のコンセント４６とを、電源アダプタ（ＡＣアダプ）７０を介して電気的に接続することで、図６に示す本体１１の内部に収容されている充電可能な電池Ｂは、電源回路８０と充電回路２００を通じて自動的に充電することができる。これにより、電池を輸液ポンプ内に入れたままで出さないで電池に自動的に充電することができ、患者あるいは周囲の家族の人による毎日の電池の交換作業が不要になり、輸液ポンプ１０の使用勝手が向上する。
【００３８】
患者あるいは周囲の家族の人が、カセット２０をカセット収納部１５に正しく装着することで、カセット検出センサとしての図６に示す突起部材９９がＺ１方向に移動してスイッチ１３４をオンして、このオン信号が制御部１００に供給できる。従って、突起部材９９とスイッチ１３４は、カセット２０がカセット収納部１５内に正常にセットされていることを検出するとともに、主電源をオンしてモータＭを作動させて、チューブ２１による送液動作を自動的に開始することができる。このため、カセット２０がカセット収納部１５内に装着されたと同時に電源をオンできるので、患者あるいは周囲の家族の人が電源を投入することを忘れてしまうことを防ぐことができる。
【００３９】
しかも、すでに説明したように、電源オンオフ操作部１５０は、カセット２０がカセット収納部１５に対して正常に装着されているかを検出する検出センサを兼ねているので、電源オンオフ操作部１５０は、オンオフ信号を発生して制御部１００に供給するだけではない。すなわち、電源オンオフ操作部１５０は、カセット２０がカセット収納部１５に対して正常に装着されている場合には、オン信号を制御部１００に供給することで、制御部１００は、カセット２０がカセット収納部１５に対して正常に装着されていると、同時に判断することできる。しかも、好ましくは電源オンオフ操作部１５０が、閉塞検出部８３と一体化して構成することにより、チューブ２１の閉塞検出も兼ねることができ、電源オンオフ操作部１５０と閉塞検出部８３を別々に配置する必要がないので、輸液ポンプ１０の小型化が図れる。
また、送液動作が終了して、例えば患者がカバー１２を開けてカセット２０をカセット収納部１５から取り外して、予め定めた待機時間を経過した時点で、自動的に電源オフすることができる。これにより、電池を輸液ポンプ内に入れたままで出さないで電池に自動的に充電することができ、電池の交換作業を不要にできる。
【００４０】
本発明の実施形態の輸液ポンプ１０は、外部から薬液を導入するための輸液チューブ２１を有するカセット２０を着脱可能に装着した状態で、輸液チューブ２１に対して圧接し、該輸液チューブ２１に対して蠕動様運動をさせて、薬液を送出するための輸液送り部としてのロータユニット３１と、このロータユニット３１を駆動するための電源として繰り返して充電可能な電池Ｂと、ロータユニット３１を駆動するための電源として商用交流電源に接続して交流／直流変換し、電池に充電可能な電源アダプタ７０と、制御部１００と、カセット２０を装着するとロータユニット３１へ供給する電源をオンするためのオン信号を制御部１００に送り、カセット２０を外すとロータユニット３１へ供給する電源をオフするためのオフ信号を制御部１００に送る電源オンオフ操作部１５０とを有することを特徴とする。
これにより、繰り返して充電可能な電池を輸液ポンプに装填したままで、この電池に対して自動的に充電することができるので、例えば患者や周囲の家族の人が電池の交換作業をする必要がなくなり、輸液ポンプの使用勝手が向上する。
【００４１】
電源オンオフ操作部１５０は、カセット２０を装着することで移動しカセット２０を外すと逆に移動する突起部材と、カセット２０を装着して突起部材９９を移動することによりオン信号を制御部１００に送り、カセット２０を外して突起部材９９を逆に移動することによりオフ信号を制御部１００に送るスイッチ１３４とを有する。
これにより、突起部材９９を移動するだけでスイッチ１３４を操作でき、簡単な構成でありながら制御部１９９に対して電源のオン信号とオフ信号を供給できる。
【００４２】
制御部１００は、カセット２０を外してオフ信号が送られてから予め定めた待機時間を経過すると、電源を自動的にオフにする。
これにより、例えば輸液チューブ２１がからんだり捩じったりしてカセット２０を一旦外して再度装着しようとする場合に、電源をオンしたまま維持できるので電源がオフしてしまうのを防ぎ、再度最初からシーケンスを繰り返す必要が無いので、輸液ポンプ１０の使用勝手が向上する。
【００４３】
カセット２０を着脱可能に収納するカセット収納部１５を有し、電源オンオフ操作部１５０は、カセット２０がカセット収納部１５に対して正常に装着されているかを検出する検出センサを兼ねていることを特徴とする。
これにより、電源オンオフ操作部１５０は、カセット２０がカセット収納部１５に対して正常に装着されているかを検出できる。
【００４４】
ところで、本発明は上記実施形態に限定されない。
点灯表示部ＬＰは、発光ダイオードランプを用いているが、ほかの種類のランプでもよい。電池収容部４１は、本体１１の裏面に露出せず本体１１の側面に露出してもよく、その場合、蓋体の形状は本実施形態とは異なる形態とすることができるが、本実施形態と同様に係合構造を採用することができる。輸液ポンプのカバーの構成やカセットの着脱構造は、上記実施形態の構成に限定されず、種々の形態が採用され得る。例えば、カセット２０に設けたストッパ２６は、これを本体１１側に設けて、外部に露出させ、カセットを装着した際に、カセット内に入り込んで、チューブを押圧する構成にする等種々の改変が可能である。
また、スライド（摺動）部材側に係合段部や傾斜面を設け、本体側に係合片や解除付勢部を設けて、上述の実施形態と同等の作用を発揮させるようにしてもよい。
【符号の説明】
【００４５】
１０・・・輸液ポンプ、１１・・・本体、１２・・・カバー、１５・・・カセット収納部、１８・・・表示部（報知手段）、２０・・・カセット、２１・・・（輸液）チューブ、３１・・・ロータユニット（輸液送り部の一例）、４１・・・電池収容部、８８・・・ブザー（報知手段）、８９・・・スピーカ（報知手段）、９９・・・突起部材、１３４・・・スイッチ、１５０・・・電源オンオフ操作部、Ｂ・・・繰り返して充電可能な電池
【図１】
2011194155.tif 000003
【図２】
2011194155.tif 000004
【図３】
2011194155.tif 000005
【図４】
2011194155.tif 000006
【図５】
2011194155.tif 000007
【図６】
2011194155.tif 000008
【図７】
2011194155.tif 000009